(57)【要約】【目的】蓄電池のリサイクルシステムの円滑な運用を実現する蓄電池のリサイクル支援システムを提供する。【解決手段】ネットワーク通信網１０を通じて相互に交信が可能なリサイクル管理サーバ１１０とユーザ端末２１０とを備え、前記リサイクル管理サーバ１１０は、蓄電池メーカ１００とユーザ２００との鉛蓄電池２０２のリース契約に関する情報を蓄積するリース管理部１１４と、前記情報の送受信を行なうネットワーク通信部１１２とを備え、前記ユーザ端末２１０は、前記情報の送受信を行なうネットワーク通信部２１２を備え、蓄電池メーカ１００は、前記リース契約に従って鉛蓄電池２０２をリースにより提供し、ユーザ２００は、前記リース契約に従って前記鉛蓄電池２０２のリースによる提供を受けることを特徴とする。【選択図】図１
2004126669.tif 000002
【特許請求の範囲】
【請求項１】
蓄電池の所有者が排出し、収集運搬業者が回収および運搬し、再生処理業者が再生物と廃棄物とに分離して再生物を再利用し、廃棄処理業者が廃棄物を処理する過程からなる蓄電池のリサイクルシステムの運用を支援するリサイクル支援システムであって、
前記リサイクル支援システムは、
ネットワークを通じて相互に交信が可能なサーバ装置と、
第１通信端末装置とを備え、
前記サーバ装置は、
蓄電池所有者と蓄電池使用者との前記蓄電池のリース契約に関する情報を蓄積するリース情報蓄積手段と、
前記情報の送受信を実行する第１ネットワーク通信手段とを備え、
前記第１通信端末装置は、
前記情報の送受信を実行する第２ネットワーク通信手段を備え、
前記蓄電池所有者は、前記リース契約に従って前記蓄電池をリース提供し、
前記蓄電池使用者は、前記リース契約に従って前記リース提供を受ける
ことを特徴とするリサイクル支援システム。
【請求項２】
前記リサイクル支援システムは、さらに、
前記蓄電池の状態を検出し、前記第１通信端末装置に検出した電池状態の情報を出力する電池状態検出装置を備え、
前記サーバ装置は、さらに、
前記電池状態を解析する電池状態解析手段を備え、
前記第１ネットワーク通信手段は、
前記電池状態の情報を前記第１通信端末装置から受信し、
前記第１通信端末装置は、さらに、
前記電池状態検出装置から電池状態の情報を取得する電池情報取得手段を備え、
前記第２ネットワーク通信手段は、
前記電池状態の情報をサーバ装置に送信する
ことを特徴とする請求項１記載のリサイクル支援システム。
【請求項３】
前記サーバ装置は、
前記電池状態解析手段の解析結果に基づいて前記蓄電池の回収時期を算出する回収時期決定手段を備え、
前記第１ネットワーク通信手段は、
前記回収時期決定手段の算出結果を回収時期情報として前記第１通信端末装置に送信する
ことを特徴とする請求項２記載のリサイクル支援システム。
【請求項４】
前記サーバ装置は、
前記電池状態解析手段の解析結果に基づいて前記蓄電池の状態に応じた所定のリース料金を算出するリース料金再計算手段を備え、
前記第１ネットワーク通信手段は、
前記リース料金再計算手段の算出結果をリース料金更新情報として前記第１通信端末装置に送信する
ことを特徴とする請求項２または３記載のリサイクル支援システム。
【請求項５】
前記リース料金再計算手段は、
前記電池状態解析手段による前記蓄電池の使用期間の解析結果に基づいてリース料金を算出する
ことを特徴とする請求項４記載のリサイクル支援システム。
【請求項６】
前記リース料金再計算手段は、
前記電池状態解析手段による前記蓄電池の使用状況の解析結果に基づいてリース料金を算出する
ことを特徴とする請求項４記載のリサイクル支援システム。
【請求項７】
前記リサイクル支援システムは、さらに、
ネットワークを通じて前記サーバ装置と交信が可能な第２通信端末装置を備え、
前記第１ネットワーク通信手段は、
前記回収時期決定手段の算出結果を回収時期情報として前記第２通信端末装置に送信し、
前記第２通信端末装置は、
前記回収時期情報の受信を実行する第３ネットワーク通信手段を備え、
前記収集運搬業者は、当該回収時期情報に従って前記蓄電池所有者から前記蓄電池を回収し運搬する
ことを特徴とする請求項３〜６のいずれか１項に記載のリサイクル支援システム。
【請求項８】
前記リサイクル支援システムは、さらに、
ネットワークを通じて前記サーバ装置と交信が可能な第３通信端末装置を備え、
前記サーバ装置は、さらに、
前記蓄電池の製造に用いる材料情報を蓄積する製造管理手段と、
前記電池状態解析手段の解析結果および前記製造管理手段が保持している材料情報に基づいて前記蓄電池の再生数量と前記蓄電池の再生処理後に発生する再生処理物の予測数量とを算出する再生予測手段とを備え、
前記第１ネットワーク通信手段は、
前記再生予測手段の算出結果を再生予測情報として前記第３通信端末装置に送信し、
前記第３通信端末装置は、
前記再生予測情報の受信を実行する第４ネットワーク通信手段を備え、
前記再生処理業者は、前記再生予測情報に従って、前記蓄電池の再生処理を行なう
ことを特徴とする請求項２〜７のいずれか１項に記載のリサイクル支援システム。
【請求項９】
前記第３通信端末装置は、さらに、
前記再生処理業者による前記蓄電池の再生処理後に発生する再生処理物の数量を示す再生物調達情報を蓄積する再生物管理手段を備え、
前記第４ネットワーク通信手段は、
前記再生物調達情報を前記サーバ装置に送信し、
前記サーバ装置は、
前記再生物調達情報と前記材料情報に基づいて前記蓄電池の再生率および回収率を算出するリサイクル管理手段を備える
ことを特徴とする請求項８記載のリサイクル支援システム。
【請求項１０】
前記リサイクル支援システムは、さらに、
ネットワークを通じて前記サーバ装置と交信が可能な第４通信端末装置を備え、
前記サーバ装置は、さらに、
前記蓄電池の製造に用いる材料情報を蓄積する製造管理手段と、
前記電池状態解析手段の解析結果および前記製造管理手段が保持している材料情報に基づいて前記蓄電池の再生処理後に発生する廃棄処理物の予測数量を算出する廃棄予測手段とを備え、
前記第１ネットワーク通信手段は、
前記廃棄予測手段の算出結果を廃棄予測情報として前記第４通信端末装置に送信し、
前記第４通信端末装置は、
前記廃棄予測情報の受信を実行する第５ネットワーク通信手段を備え、
前記廃棄処理業者は、前記廃棄予測情報に従って、前記廃棄処理物の廃棄処理を行なう
ことを特徴とする請求項２〜９のいずれか１項に記載のリサイクル支援システム。
【請求項１１】
前記第４通信端末装置は、さらに、
前記廃棄処理業者による前記蓄電池の廃棄処理後に発生する廃棄処理物の数量を示す廃棄物情報を蓄積する廃棄物管理手段を備え、
前記第５ネットワーク通信手段は、
前記廃棄物情報を前記サーバ装置に送信し、
前記サーバ装置は、
前記廃棄物情報と前記材料情報と前記再生物調達情報とに基づいて前記蓄電池の再生率および回収率を算出するリサイクル管理手段を備える
ことを特徴とする請求項１０記載のリサイクル支援システム。
【請求項１２】
ネットワークを通じて相互に交信が可能なサーバ装置と第１通信端末装置とから構成されるシステムにおけるリサイクル支援方法であって、
前記サーバ装置において、
蓄電池所有者と蓄電池使用者との前記蓄電池のリース契約に関する情報を蓄積するリース情報蓄積ステップと、
前記情報の送受信を実行する第１ネットワーク通信ステップとを含み、
前記第１通信端末装置において、
前記情報の送受信を実行する第２ネットワーク通信ステップとを含み、
前記蓄電池所有者は、前記リース契約に従って蓄電池をリース提供し、
前記蓄電池使用者は、前記リース契約に従って前記リース提供を受ける
ことを特徴とするリサイクル支援方法。
【請求項１３】
ネットワークを通じて相互に交信が可能なサーバ装置と第１通信端末装置と電池状態検出装置とから構成されるシステムにおけるリサイクル支援方法であって、
前記電池状態検出装置において、
蓄電池の状態を検出し、前記第１通信端末装置に検出した電池状態の情報を出力するステップを含み、
前記サーバ装置において、
蓄電池所有者と蓄電池使用者との前記蓄電池のリース契約に関する情報を蓄積するリース情報蓄積ステップと、
前記電池状態を解析する電池状態解析ステップと、
前記リースに関する情報の送受信を実行し、前記電池状態の情報を前記第１通信端末装置から受信する第１ネットワーク通信ステップとを含み、
前記第１通信端末装置において、
前記電池状態検出装置から電池状態の情報を取得する電池情報取得ステップと、
前記リースに関する情報の送受信を実行し、前記電池状態の情報をサーバ装置に送信する第２ネットワーク通信ステップとを含み、
前記蓄電池所有者は、前記リース契約に従って蓄電池をリース提供し、
前記蓄電池使用者は、前記リース契約に従って前記リース提供を受ける
ことを特徴とするリサイクル支援方法。
【請求項１４】
蓄電池のリサイクルシステムの運用を支援するためのプログラムであって、請求項１２または１３記載のリサイクル支援方法におけるステップをコンピュータに実行させる
ことを特徴とするプログラム。
【請求項１５】
蓄電池を使用する蓄電池使用者、使用済み蓄電池を回収運搬する収集運搬業者、前記収集運搬業者から前記蓄電池を受け取り再生物または廃棄物に分別処理する再生処理業者、廃棄物を処理する廃棄処理業者、前記再生処理業者から再生資源を購入し蓄電池を製造する蓄電池メーカからなるリースシステムであって、
前記蓄電池メーカまたはリース販売業者が、前記蓄電池使用者に蓄電池をリースし、非常用電源や動力用電源を提供すると共に、前記蓄電池または当該蓄電池を使用した機器に電池状態検出装置および通信端末装置を設置し、前記通信端末装置からネットワークを通じて送信された電池状態の情報を前記蓄電池メーカまたは前記リース販売業者がサーバ装置を用いて管理し、蓄電池の劣化による寿命情報を蓄電池使用者にネットワークを通じて知らせると共に、使用済み蓄電池と新品蓄電池を交換して、収集運搬、再生または廃棄処理、再生資源の購入および蓄電池の製造を前記各業者にネットワークを通じて知らせ、使用済み蓄電池を前記蓄電池メーカまたは前記リース販売業者が排出事業者となって、廃棄物処理法に則った処理を実施することを特徴とするリースシステム。
【請求項１６】
前記各業者に通信端末装置を設置し、ネットワークを通じてサーバ装置と相互に交信を可能とし、前記蓄電池メーカまたは前記リース販売業者が前記サーバ装置において収集運搬車両の管理状況、回収率の管理情報、リサイクル管理情報、再生物調達情報、製造情報および販売情報を付加情報として管理し、前記蓄電池のライフサイクル全体でのサービスを提供することを特徴とする請求項１５記載のリースシステム。
【発明の詳細な説明】
【０００１】
【発明の属する技術の分野】
本発明は、非常用電源や動力用電源として用いられる産業用蓄電池やカーバッテリーに代表される蓄電池等のリサイクル支援システムおよびリースシステムに関する。
【０００２】
【従来の技術】
従来、健全な地球環境を次世代に引き継ぐために、地球への環境負荷を低減し循環型社会の構築を図ることが重要な課題とされる中、廃工業製品のリサイクルシステムが種々提案されている（例えば、特許文献１参照。）。
【０００３】
非常用電源や動力用電源として数多く使用されている産業用蓄電池においても同様であり、鉛やカドミウム等を含む産業用蓄電池を一般の廃棄物として捨ててしまうことは資源の有効利用や環境保護の観点から好ましくないため、産業用蓄電池のリサイクルシステムが確立している（例えば、非特許文献１参照。）。
【０００４】
この従来における産業用蓄電池のリサイクルシステムは、産業用蓄電池が寿命に至り使用済みとなった場合に、有価物として回収した上で、鉛合金等に再生し、再利用に供するものであった。しかし、使用済み産業用蓄電池が、廃棄物の処理及び清掃に関する法律（以下適宜、廃棄物処理法という。）における産業廃棄物として取り扱われることになると、産業用蓄電池の電解液は強酸または強アルカリであることから、本法に定める産業廃棄物の中でも特別管理産業廃棄物に該当するため、使用済み産業用蓄電池の廃棄処分を行なうにあたっては本法に則った扱いが求められる。
【０００５】
この廃棄物処理法第３条１項において、事業者は自らの事業活動に伴って生じた廃棄物を自らの責任において適正に処理しなければならないと定められていることから、排出事業者となる産業用蓄電池のユーザは、図８に示す手順に従って使用済み産業用蓄電池を適正に処理することが必要である。
【０００６】
図８は、従来における廃棄物処理法に則った産業用蓄電池のリサイクルシステムの流れを示すシーケンス図である。
【０００７】
まず、排出事業者９０１は、使用済み産業用蓄電池の排出を行なう前に、当該産業用蓄電池の処理を適切に行なわせるため、廃棄物処理法第１２条の２により厚生労働省令で定める資格を有する特別管理産業廃棄物管理責任者を設置する（Ｓ９１０）必要がある。
【０００８】
また、排出事業者９０１自らが使用済み産業用蓄電池の再生処理を行なわず、他人に委託する場合には、使用済み産業用蓄電池を収集し運搬する収集運搬業者９０２や使用済み産業用蓄電池の再生処理を行なう再生処理業者（以下、再生業者という。）９０３と、使用済み産業用蓄電池の処理に関して委託する契約を締結する必要がある（Ｓ９１１）。このとき、廃棄物処理法第１２条の２により、前記収集運搬業者９０２および前記再生業者９０３は業の許可を受けている者でなければならないとされる。なお、使用済み産業用蓄電池の再生処理によって発生する廃棄物については、再生業者９０３が、廃棄物の最終処分を行なう廃棄処理業者（以下、処分業者という。）９０４と委託契約を締結しているものとする（Ｓ９１１）。
【０００９】
さらに、排出事業者９０１は、使用済み産業用蓄電池の再生処理を他人に委託する場合、廃棄物処理法第１２条の３により特別管理産業廃棄物管理票（以下、マニフェストという。）を発行して、産業用蓄電池の処理の流れを自ら把握し管理する必要がある。なお、このマニフェストは、所定の様式に基づいた用紙に、産業廃棄物の種類、名称、性状、荷姿、重量または容量、収集運搬業者名、処分業者名、取扱上の注意事項等の情報を記載し、排出事業者９０１、収集運搬業者９０２、再生業者９０３および処分業者９０４は、これを５年間保管しなければならないとされる。
【００１０】
ここで、使用済み産業用蓄電池が発生すると（Ｓ９１２）、排出事業者９０１は、前記委託契約を締結した収集運搬業者９０２が使用済み産業用蓄電池を回収する際に、当該使用済み産業用蓄電池の再生・廃棄処理に関するマニフェストを発行して、当該マニフェストを前記収集運搬業者９０２に交付する（Ｓ９１３）。
【００１１】
前記収集運搬業者９０２は、排出事業者９０１から回収した使用済み産業用蓄電池を、排出事業者９０１が前記委託契約を締結した再生業者９０３に運搬すると共に、交付されたマニフェストのうち収集運搬業者９０２が保管すべきマニフェストを切り離して、残りのマニフェストを再生業者９０３に回送する（Ｓ９１４）。そして、前記収集運搬業者９０２は、前記切り離したマニフェストに必要事項を記入した上で、当該マニフェストの写しを排出事業者９０１に返送する（Ｓ９１５）。
【００１２】
次に、前記再生業者９０３は、前記収集運搬業者９０２から使用済み産業用蓄電池を受け取ると、使用済み産業用蓄電池を再生鉛等の再生物と廃酸等の廃棄物とに分離する再生処理を行なう（Ｓ９１６）。前記再生業者９０３は当該再生処理を終えると、資源の再利用のため再生鉛等の再生物を蓄電池メーカに送り（Ｓ９１８）、前記委託契約を締結した処分業者９０４に廃棄物を送るとともに、回送されたマニフェストのうち当該再生業者９０３が保管すべきマニフェストを切り離して、残りのマニフェストを処分業者９０４に回送する（Ｓ９１７）。
【００１３】
続いて、前記処分業者９０４は、前記再生業者９０３から廃棄物を受け取ると、廃プラスチックは埋め立て処分としたり、廃酸は処理のうえ放流したりして、最終処分をする（Ｓ９１９）。前記処分業者９０４は当該最終処分を終えると、回送された当該処分業者９０４が保管すべきマニフェストに必要事項を記入した上で、当該マニフェストの写しを前記再生業者９０３に返送する（Ｓ９２０）。
【００１４】
そして、前記再生業者９０３は、前記処分業者９０４から前記マニフェストの写しを受け取ると、排出事業者９０１に、当該再生業者９０３が保管すべきマニフェストに必要事項を記入した上で、当該マニフェストの写しと前記処分業者９０４が保管すべきマニフェストの写しとを返送する（Ｓ９２１）。
【００１５】
その後、排出事業者９０１は、自ら保管すべきマニフェストと、前記収集運搬業者９０２および前記再生業者９０３から返送されたマニフェストの写しとを５年間保管する。（Ｓ９２２）。前述した各業者も同様に、自ら保管すべきマニフェストを５年間保管する（Ｓ９２２）。
【００１６】
さらに、排出事業者９０１は、当該排出事業者９０１の所在地を管轄する都道府県知事に年１回マニフェストの発行等の報告を行なう（Ｓ９２３）。
【００１７】
このような手順を踏んで、排出事業者９０１となるユーザは使用済み産業用蓄電池を再生・廃棄処理する必要があり、産業用蓄電池の製造販売を行なう蓄電池メーカもまた、廃棄物処理法第３条２項の規定によって、ユーザに産業用蓄電池を販売する際に、製品と共に蓄電池の容器や内容物等に係る廃棄物の適正な処理方法についての情報を提供する必要がある。
【００１８】
このように、ユーザ自らが排出事業者９０１となって使用済み産業用蓄電池を処理することは多大な苦労が強いられることから、ユーザ自らが排出事業者９０１となることができない場合も生じうる。そのため、蓄電池メーカが使用済み産業用蓄電池を取替の場合に限り下取り行為としてユーザに代わって排出事業者９０１となり、使用済み産業用蓄電池の再生・廃棄処理を行なうことも認められている（旧厚生省通知平成５年５月３１日衛産）。
【００１９】
すなわち、新しい製品を販売する際に商慣習として同様の製品で使用済みのものを無償で引き取る下取り行為が認められることによって、ユーザは新品の産業用蓄電池を蓄電池メーカから購入すれば、蓄電池メーカが使用済み産業用蓄電池を引き取って排出事業者となり、ユーザの負担を軽減することができる。また、一般に、ユーザよりも産業用蓄電池の製造を行なう蓄電池メーカの方が、使用済み産業用蓄電池の再生処理に長けているといえるので、廃棄物処理法の規定に則った使用済み産業用蓄電池の適正な再生処理を行なうことができる。
【００２０】
このような従来における廃棄物処理法に則った使用済み産業用蓄電池のリサイクルシステムによって再生・廃棄処理がなされる産業用蓄電池のライフサイクルを図９に示す。
【００２１】
まず、産業用蓄電池は、蓄電池メーカの製品として製造されて（Ｓ９３０）、販売によってユーザに提供される（Ｓ９３１）。そして、ユーザによって購入された産業用蓄電池は使用に供され（Ｓ９３２）、電池寿命を迎えると使用済み産業用蓄電池となる。
【００２２】
ここで、ユーザが前記排出事業者９０１となる場合は、使用済み産業用蓄電池はユーザの責任において再生・廃棄処理が行なわれることになる（Ｓ９３３）。一方、上記の下取り行為があった場合は蓄電池メーカが前記排出事業者９０１となるので（Ｓ９３４）、使用済み産業用蓄電池は蓄電池メーカの責任において再生・廃棄処理が行なわれることになる（Ｓ９３５）。
【００２３】
そして、使用済み産業用蓄電池は、前記再生業者９０３によって再生物と廃棄物とに分離され（Ｓ９３６）、再生物は蓄電池メーカに渡されて製品の材料として再生され（Ｓ９３０）、廃棄物は前記処分業者９０４によって廃棄処分とされる（Ｓ９３７）。
【００２４】
このように、従来における廃棄物処理法に則った産業用蓄電池のリサイクルシステムによって、使用済み産業用蓄電池の再利用が図られ、循環型社会の形成の一端を担っている。
【００２５】
【特許文献１】
特開２０００―８４５３２号（明細書）
【００２６】
【非特許文献１】
”産業用電池のリサイクル、［ｏｎｌｉｎｅ］、社団法人電池工業会、［平成１４年９月２日検索］、インターネット〈ＵＲＬ：ｈｔｔｐ：／／ｗｗｗ．ｂａｊ．ｏｒ．ｊｐ／ｒｅｃｙｃｌｅ／ｆａｃｔｏｒｙ／ｉｎｄｅｘ．ｈｔｍｌ〉”
【００２７】
【発明が解決しようとする課題】
しかしながら、使用済み産業用蓄電池が蓄電池メーカに下取りされない場合は、使用済み産業用蓄電池の回収および再生処理を必ずしも確実に実施することができないという問題がある。
【００２８】
また、上述のようにユーザ自らが排出事業者となって使用済み産業用蓄電池を廃棄物処理法に則って処理することは、ユーザに大きな負担となり、ひいては使用済み産業用蓄電池の不法投棄が増加するおそれもある。
【００２９】
そして、このような問題点から従来における産業用蓄電池のリサイクルシステムを円滑に運用することができず、循環型社会の形成を実現することができないということに発展してしまう可能性が懸念される。
【００３０】
そこで、本発明は、かかる問題点に鑑みなされたものであり、ユーザに多大な苦労が生じたり、使用済み産業用蓄電池が不法投棄されたりするという事態を回避し、使用済み産業用蓄電池の回収および再生を確実に行なうことができ、かつ、循環型社会形成に貢献することができるように、産業用蓄電池のリサイクルシステムの円滑な運用を可能とする産業用蓄電池のリサイクル支援システム等を提供することを目的とする。
【００３１】
【課題を解決するための手段】
上記の目的を達成するため、本発明は、以下の技術的手段を講じている。
【００３２】
すなわち、本発明は、蓄電池の所有者が排出し、収集運搬業者が回収および運搬し、再生処理業者が再生物と廃棄物とに分離して再生物を再利用し、廃棄処理業者が廃棄物を処理する過程からなる蓄電池のリサイクルシステムの運用を支援するリサイクル支援システムであって、前記リサイクル支援システムは、ネットワークを通じて相互に交信が可能なサーバ装置と第１通信端末装置とを備え、前記サーバ装置は、蓄電池所有者と蓄電池使用者との前記蓄電池のリース契約に関する情報を蓄積するリース情報蓄積手段と、前記情報の送受信を実行する第１ネットワーク通信手段とを備え、前記第１通信端末装置は、前記情報の送受信を実行する第２ネットワーク通信手段を備え、前記蓄電池所有者は、前記リース契約に従って前記蓄電池をリース提供し、前記蓄電池使用者は、前記リース契約に従って前記リース提供を受けることを特徴とする。
【００３３】
また、本発明は、前記リサイクル支援システムにおける各構成要素をステップとするリサイクル支援方法として実現することもでき、各ステップをコンピュータに実行させるプログラムとして実現することもできる。
【００３４】
【発明の実施の形態】
以下、本発明の実施の形態について説明する。
【００３５】
（実施の形態１）
まず、本発明の実施の形態１について、産業用蓄電池の一例として鉛蓄電池を用いて、図面を参照しながら詳細に説明する。
【００３６】
図１は、本発明の実施の形態１に係る鉛蓄電池のリサイクル支援システムの全体を示すシステム構成図である。
【００３７】
本システムは、情報通信網を利用して、使用済み鉛蓄電池のリサイクル工程におけるユーザの負担を軽減し、かつ、使用済み鉛蓄電池を確実に回収し再生率を高めるシステムであり、リサイクル管理サーバ１１０と、非常用電源装置２０１と、ユーザ端末２１０と、収集運搬業者端末３１０と、再生業者端末４１０と、処分業者端末５１０と、これらのサーバおよび端末間の通信経路となるネットワーク通信網１０とから構成される。
【００３８】
リサイクル管理サーバ１１０は、各端末から種々の情報を受信して当該情報に基づく処理を行ない、使用済み鉛蓄電池の処理に関する情報を各端末に送信する等、本システムの運用を管理するサーバまたはワークステーションである。なお、このリサイクル管理サーバ１１０は、上記各請求項におけるサーバ装置の一例である。
【００３９】
非常用電源装置２０１は、停電等の非常事態において一定時間電力を供給する装置であり、鉛蓄電池２０２と蓄電池センサ２０３とを備える。
【００４０】
鉛蓄電池２０２は、通常時に充電し、非常時に放電する電池であり、充電期間や放電回数等の使用状況によって、電池寿命が変動する。
【００４１】
蓄電池センサ２０３は、鉛蓄電池２０２と接続されて、当該鉛蓄電池２０２の電池状態を検出するサーミスタ等のセンサ群と検出回路である。ここで、電池状態とは、鉛蓄電池２０２の状態を意味し、充電期間、放電回数、放電電気量合計、作動中の電池温度、作動中の電圧および電流、電解液量および電解液比重、過放電または過充電の有無等をパラメータとして検出される。
【００４２】
ユーザ端末２１０は、蓄電池センサ２０３と接続され、蓄電池センサ２０３が検出した電池状態をディジタル化された電池状態情報として取得し、ネットワーク通信網１０を介してリサイクル管理サーバ１１０に送信するコンピュータである。なお、このユーザ端末２１０は、上記各請求項における第１通信端末装置の一例である。
【００４３】
収集運搬業者端末３１０は、ネットワーク通信網１０を介して、リサイクル管理サーバ１１０から回収指示情報を受信し、また、車両運行情報をリサイクル管理サーバ１１０に送信するコンピュータである。ここで、回収指示情報とは、蓄電池メーカ１００が収集運搬業者３００に使用済み鉛蓄電池２０２の回収を指示する情報をいい、ユーザ２００から使用済み鉛蓄電池２０２を引き取った販売拠点の所在地や回収個数、回収日時等を含んでいる。また、車両運行情報とは、収集運搬業者３００が使用済み鉛蓄電池２０２の回収に用いる運搬車両の運行状態を示す情報であり、前記運搬車両の運行日時や運行計画等を含んでいる。なお、この収集運搬業者端末３１０は、上記各請求項における第２通信端末装置の一例である。
【００４４】
再生業者端末４１０は、ネットワーク通信網１０を介して、リサイクル管理サーバ１１０から処理予測情報を受信し、また、リサイクル管理サーバ１１０に再生鉛調達情報を送信するコンピュータである。ここで、処理予測情報とは、前記電池状態情報等から予測される再生処理業者４００が行なうべき再生処理を示す情報であり、収集運搬業者３００によって運び込まれる使用済み鉛蓄電池２０２の個数や、リサイクル管理サーバ１１０が前記電池状態情報等に基づいて算出する鉛の再生量の予測値等を含んでいる。また、再生鉛調達情報とは、再生業者４００が使用済み鉛蓄電池２０２の再生処理を行なった結果を示す情報であり、再生処理後に得られた再生鉛量等を含んでいる。なお、この再生業者端末４１０は、上記各請求項における第３通信端末装置の一例である。
【００４５】
処分業者端末５１０は、ネットワーク通信網１０を介して、リサイクル管理サーバ１１０から廃棄予測情報を受信して、リサイクル管理サーバ１１０に最終処分情報を送信するコンピュータである。ここで、廃棄予測情報とは、前記電池状態情報等から予測される処分業者５００が行なうべき最終処分を示す情報であり、リサイクル管理サーバ１１０が前記電池状態情報や鉛蓄電池２０２の構成材料に関する情報に基づいて算出する廃棄物の発生量の予測値等を含んでいる。また、最終処分情報とは、処分業者５００が廃棄物の最終処分を行なった結果を示す情報であり、最終処分において廃棄した廃酸量や廃プラスチック量等を含んでいる。なお、この処分業者端末５１０は、上記各請求項における第４通信端末装置の一例である。
【００４６】
ネットワーク通信網１０は、リサイクル管理サーバ１１０とユーザ端末２１０等の上記端末装置群とを接続して通信を可能とするインターネット等の電気通信回線である。
【００４７】
図２は、本発明の実施の形態１に係る鉛蓄電池のリサイクル支援システムの構成を示す機能ブロック図である。
【００４８】
図２に示すように、リサイクル管理サーバ１１０は、リサイクル管理サーバ１１０を構成する各部を制御する主制御部１１１と、ネットワーク通信網１０を介して上記端末装置群と通信を行なうネットワーク通信部１１２と、ユーザ端末２１０から取得した電池状態情報を解析する電池情報解析部１１３と、リース料金の算出や顧客情報の管理を行なうリース管理部１１４と、鉛蓄電池の製造状況や在庫数量等を管理する製造管理部１１５と、再生率の算出や再生率情報の保管等を行なうリサイクル管理部１１６とを備える。
【００４９】
主制御部１１１は、ＣＰＵを備え、鉛の再生量の予測や廃棄物発生量の予測を行なう等して処理予測情報や廃棄予測情報等を生成する処理部である。また、この主制御部１１１は、ネットワーク通信部１１２に各情報の送信を指示したり、電池情報解析部１１３に電池状態情報の解析を指示したり、リサイクル管理サーバ１１０を構成する各部を制御する制御部でもある。
【００５０】
ネットワーク通信部１１２は、インターネット等の電気通信回線を介して他の端末装置と各種情報の通信を行なう通信インターフェイスであり、例えば、ユーザ端末２１０から電池状態情報を受信したり、収集運搬業者端末３１０に回収指示情報を送信したりする。
【００５１】
電池情報解析部１１３は、前記ネットワーク通信部１１２を介してユーザ端末２１０から受信した電池状態情報を解析し、鉛蓄電池２０２の寿命予測等を行なう処理部であり、電流・電圧特性と電池の劣化状態の関係グラフや電解液量および電解液比重と電池の劣化状態の関係グラフを蓄積するデータベース１２３を備える。この電流・電圧特性等と電池の劣化状態の関係グラフとは、電流・電圧の強弱や、電解液量の減少率等から鉛蓄電池２０２の劣化度合いを示すグラフであり、予め当該グラフを作成するための調査が行なわれた上で、データベース１２３に格納されている。
【００５２】
リース管理部１１４は、リース料金の算出やリース期間の管理等を行なう処理部であり、内部に顧客情報等を記憶するデータベース１２４を備える。このデータベース１２４は、顧客情報等を格納するハードディスク等の記録媒体である。また、ここで、顧客情報とは、鉛蓄電池２０２のリース先を示す情報であり、例えばリース先法人名称、鉛蓄電池２０２の設置場所等である。
【００５３】
製造管理部１１５は、前記ネットワーク通信部１１２を介して再生業者端末４１０から受信した再生鉛調達情報を用いる等して鉛蓄電池２０２の製造可能個数を算出したり、鉛蓄電池２０２の在庫数量を管理したりする処理部であり、内部に在庫数量や鉛蓄電池２０２の材料構成、例えば、鉛や酸の含有量やプラスチックの使用量等の材料データ等を記憶するデータベース１２５を備える。
【００５４】
リサイクル管理部１１６は、使用済み鉛蓄電池２０２の回収率や再生率等を算出する処理部であり、内部に回収率情報や再生率情報等を蓄積するデータベース１２６を備える。
【００５５】
ユーザ端末２１０は、ユーザ端末２１０を構成する各部を制御する主制御部２１１と、ネットワーク通信網１０を介してリサイクル管理サーバ１１０と通信を行なうネットワーク通信部２１２と、蓄電池センサ２０３から電池状態情報を取得する電池情報取得部２１３とを備える。
【００５６】
主制御部２１１は、ＣＰＵを備え、ネットワーク通信部２１２における情報の送受信を制御したり、電池情報取得部２１３における電池状態情報の取得を制御したりする処理部である。
【００５７】
ネットワーク通信部２１２は、インターネット等の電気通信回線を介してリサイクル管理サーバ１１０と通信を行なう通信インターフェイスであり、主制御部２１１の指示に基づいてリサイクル管理サーバ１１０に電池状態情報等を送信したり、リサイクル管理サーバ１１０から契約更新案内情報等を受信したりする。
【００５８】
電池情報取得部２１３は、蓄電池センサ２０３と接続するためのインターフェイスであり、非常用電源装置２０１内の鉛蓄電池２０２に接続された蓄電池センサ２０３が検出した電池状態を電池状態情報として取得する処理部である。
【００５９】
収集運搬業者端末３１０は、収集運搬業者端末３１０を構成する各部を制御する主制御部３１１と、ネットワーク通信網１０を介してリサイクル管理サーバ１１０と通信を行なうネットワーク通信部３１２と、車両運行情報を生成する車両運行管理部３１３とを備える。
【００６０】
主制御部３１１は、ＣＰＵを備え、ネットワーク通信部３１２における情報の送受信を制御したり、車両運行管理部３１３における車両運行情報の更新等を制御したりする処理部である。
【００６１】
ネットワーク通信部３１２は、インターネット等の電気通信回線を介してリサイクル管理サーバ１１０と通信を行なう通信インターフェイスであり、リサイクル管理サーバ１１０に車両運行情報を送信したり、リサイクル管理サーバ１１０から回収指示情報を受信したりする。
【００６２】
車両運行管理部３１３は、ＲＡＭ等の書き換え可能な記録媒体を備え、収集運搬業者３００の管理している運搬車両の運行状態等を随時更新して車両運行情報を生成する処理部である。
【００６３】
再生業者端末４１０は、再生業者端末４１０を構成する各部を制御する主制御部４１１と、ネットワーク通信網１０を介してリサイクル管理サーバ１１０と通信を行なうネットワーク通信部４１２と、再生鉛調達情報を生成する再生処理管理部４１３とを備える。
【００６４】
主制御部４１１は、ＣＰＵを備え、ネットワーク通信部４１２における情報の送受信を制御したり、再生処理管理部４１３における再生鉛調達情報の生成等を制御したりする処理部である。
【００６５】
ネットワーク通信部４１２は、インターネット等の電気通信回線を介してリサイクル管理サーバ１１０と通信を行なう通信インターフェイスであり、リサイクル管理サーバ１１０から処理予測情報を受信したり、リサイクル管理サーバ１１０に再生鉛調達情報を送信したりする。
【００６６】
再生処理管理部４１３は、ＲＡＭ等の書き換え可能な記録媒体を備え、再生業者４００が使用済み鉛蓄電池２０２を再生することによって得られる再生鉛の調達量等を随時更新して再生鉛調達情報を生成する処理部である。
【００６７】
処分業者端末５１０は、処分業者端末５１０を構成する各部を制御する主制御部５１１と、ネットワーク通信網１０を介して他の端末と通信を行なうネットワーク通信部５１２と、最終処分情報を生成する最終処分管理部５１３とを備える。
【００６８】
主制御部５１１は、ＣＰＵを備え、ネットワーク通信部５１２における情報の送受信を制御したり、最終処分管理部５１３における最終処分情報の生成等を制御したりする処理部である。
【００６９】
ネットワーク通信部５１２は、インターネット等の電気通信回線を介して他の端末装置と通信を行なう通信インターフェイスであり、リサイクル管理サーバ１１０から廃棄予測情報を受信したり、リサイクル管理サーバ１１０に最終処分情報を送信したりする。
【００７０】
最終処分管理部５１３は、ＲＡＭ等の書き換え可能な記録媒体を備え、処分業者５００が廃棄した廃酸や廃プラスチック等の量を随時更新して最終処分情報を生成する処理部である。
【００７１】
このように構成された鉛蓄電池のリサイクル支援システムを用いて鉛蓄電池のリサイクルシステムを運用する方法について、以下に説明する。
【００７２】
まず、本発明の実施の形態１に係る鉛蓄電池のリサイクルシステムにおける全体の流れについて説明する。
【００７３】
図３は、本発明の実施の形態１に係る鉛蓄電池のリサイクルシステムの流れを示すシーケンス図である。
【００７４】
まず、蓄電池メーカ１００は、特別管理産業廃棄物管理責任者を設置しておく必要がある（Ｓ１０１）。そして、蓄電池メーカ１００は、自ら製造した鉛蓄電池２０２について、リースによる非常用電源の供給サービスに係る契約をユーザ２００と締結する（Ｓ１０２）。また、蓄電池メーカ１００は、当該契約の締結の前後を問わず、自ら製造した鉛蓄電池２０２の再生・廃棄処理について他人に委託する場合は、収集運搬業者３００および再生業者４００と使用済み鉛蓄電池２０２の処理に関して委託する契約を締結する必要がある（Ｓ１０３）。さらに、上述した従来におけるリサイクルシステムとは異なり、蓄電池メーカ１００が、処分業者５００と廃棄物の処理に関して委託する契約を締結する（Ｓ１０３）。
【００７５】
次に、前記リースによる非常用電源の供給サービスに係る契約成立によって、蓄電池メーカ１００は、ユーザ２００に非常用電源装置２０１およびユーザ端末２１０をリースする。そして、蓄電池メーカ１００は、リサイクル管理サーバ１１０とユーザ端末２１０とをネットワーク通信網１０を介して接続し、リサイクル管理サーバ１１０を用いて、前記ユーザ端末２１０から非常用電源装置２０１内の鉛蓄電池２０２の電池状態情報を随時受信し、鉛蓄電池２０２の電池寿命を把握する（Ｓ１０４）。また、蓄電池メーカ１００は、リサイクル管理サーバ１１０と収集運搬業者端末３１０とをネットワーク通信網１０を介して接続し、リサイクル管理サーバ１１０を用いて、随時、前記収集運搬業者端末３１０から車両運行情報を受信し、収集運搬業者３００の運搬車両の運行状態を把握する（Ｓ１０５）。
【００７６】
ここで、蓄電池メーカ１００は、リサイクル管理サーバ１１０を用いて、前記電池状態情報から鉛蓄電池２０２が電池寿命を迎え使用済み鉛蓄電池が発生することを検知すると（Ｓ１０６）、蓄電池メーカ１００は、リサイクル管理サーバ１１０から収集運搬業者端末３１０にネットワーク通信網１０を介して回収指示情報を送信することによって、収集運搬業者３００に使用済み鉛蓄電池２０２の回収を依頼する（Ｓ１０７）。
【００７７】
また、蓄電池メーカ１００は、再生処理業者端末４１０を備える再生処理業者４００に、リサイクル管理サーバ１１０から前記再生処理業者端末４１０にネットワーク通信網１０を介して処理予測情報を送信することによって、使用済み鉛蓄電池２０２の再生処理を依頼する（Ｓ１０８）。
【００７８】
さらに、蓄電池メーカ１００は、処分業者端末５１０を備える処分業者５００に、リサイクル管理サーバ１１０から前記処分業者端末５１０にネットワーク通信網１０を介して廃棄予測情報を送信することによって、使用済み蓄電池２０２を再生処理の結果、発生する廃棄物の最終処理を依頼する（Ｓ１０９）。
【００７９】
そして、蓄電池メーカ１００は、リサイクル管理サーバ１１０からユーザ端末２１０にネットワーク通信網１０を介してリース契約更新を送信することによって、ユーザ２００に前記リースによる非常用電源の供給サービスに係る契約の更新を案内する（Ｓ１１０）。
【００８０】
このとき、ユーザ２００が前記契約の更新に応じた場合は、蓄電池メーカ１００は、新品の鉛蓄電池２０２と使用済み鉛蓄電池２０２とを交換し（Ｓ１１１）、使用済み鉛蓄電池２０２を蓄電池メーカ１００の販売拠点等に引き取る（Ｓ１１２）。
【００８１】
また、前記契約の更新に応じない場合であっても、非常用電源装置２０１内の使用済み鉛蓄電池２０２に係る所有権はリース債権者である蓄電池メーカ１００に帰属する。従って、蓄電池メーカ１００が自らの責任において使用済み鉛蓄電池２０２を処理しなければならず、蓄電池メーカ１００は、使用済み鉛蓄電池２０２を前記販売拠点等に引き取る（Ｓ１１２）。
【００８２】
その後、前記収集運搬業者３００は、蓄電池メーカ１００がユーザ２００から前記販売拠点等に引き取った使用済み鉛蓄電池２０２を回収し（Ｓ１１３）、前記再生業者４００の再生処理工場等に運搬する（Ｓ１１４）。このとき、蓄電池メーカ１００は、当該使用済み鉛蓄電池２０２の再生・廃棄処理に関するマニフェストを発行して、前記収集運搬業者３００に交付し（Ｓ１１３）、前記収集運搬業者３００は、交付されたマニフェストのうち収集運搬業者３００が保管すべきマニフェストを切り離して、残りのマニフェストを再生業者４００に回送する（Ｓ１１４）。
【００８３】
そして、前記収集運搬業者３００は、前記切り離したマニフェストに必要事項を記入した上で、当該マニフェストの写しを排出事業者たる蓄電池メーカ１００に返送する（Ｓ１１５）。
【００８４】
続いて、前記再生業者４００は、前記収集運搬業者３００から使用済み鉛蓄電池２０２を受け取ると、使用済み鉛蓄電池２０２を再生鉛等の再生物と廃酸や廃プラスチック等の廃棄物とに分離する再生処理を行なう（Ｓ１１６）。
【００８５】
そして、前記再生業者４００は、当該再生処理を終えると廃棄物を前記処分業者５００に送るとともに、回送されたマニフェストのうち当該再生業者４００が保管すべきマニフェストを切り離して、残りのマニフェストを処分業者５００に回送する（Ｓ１１７）。
【００８６】
また、前記再生業者４００は、資源再利用のため再生鉛等の再生物を蓄電池メーカ１００に納め（Ｓ１１８）、再生業者端末４１０を用いてリサイクル管理サーバ１１０に再生鉛調達情報を送信することによって、再生処理の結果得られた再生鉛量を蓄電池メーカ１００に知らせる。
【００８７】
さらに、前記再生業者４００は、前記切り離したマニフェストに必要事項を記入した上で、当該マニフェストの写しを排出事業者たる蓄電池メーカ１００に返送する（Ｓ１１９）。
【００８８】
その後、前記処分業者５００は、前記再生業者４００から廃棄物を受け取ると、廃プラスチックの埋め立て等の最終処分を行なう（Ｓ１２０）。
【００８９】
そして、前記処分業者５００は、当該最終処分を終えると処分業者端末５１０を用いてリサイクル管理サーバ１１０に最終処分情報を送信することによって、廃プラスチック等の廃棄物の量を蓄電池メーカ１００に知らせる（Ｓ１２１）。
【００９０】
また、前記処分業者５００は、回送された当該処分業者５００が保管すべきマニフェストに必要事項を記入した上で、当該マニフェストの写しを排出事業者たる蓄電池メーカ１００に返送する（Ｓ１２２）。
【００９１】
その後、排出事業者たる蓄電池メーカ１００は、収集運搬業者３００、再生業者４００および処分業者５００から返送されたマニフェストの写しを受け取り、自ら保管すべきマニフェストと合わせて５年間保管する（Ｓ１２３）。前記収集運搬業者３００、前記再生業者４００および前記処分業者５００も同様に、自ら保管すべきマニフェストを５年間保管する（Ｓ１２３）。
【００９２】
さらに、排出事業者たる蓄電池メーカ１００は、蓄電池メーカ１００の所在地を管轄する都道府県知事に年１回マニフェストの発行等の報告を行なう（Ｓ１２４）。
【００９３】
このように、蓄電池メーカ１００は、鉛蓄電池２０２をリースによる非常用電源の供給サービスとしてユーザ２００に提供することによって、使用済み鉛蓄電池２０２の再生・廃棄処理について蓄電池メーカ１００が責任を負うこととなるので、使用済み鉛蓄電池２０２のリサイクル工程におけるユーザ２００の負担が軽減される。
【００９４】
また、蓄電池メーカ１００は、リサイクル管理サーバ１１０を用いて、ユーザ端末２１０からネットワーク通信網１０を介して送信される電池状態情報を受信することによって、鉛蓄電池２０２の電池寿命を予測することができるので、鉛蓄電池２０２の交換時期を容易に把握することができる。
【００９５】
さらに、蓄電池メーカ１００は、リサイクル管理サーバ１１０を用い、ネットワーク通信網１０を介して各業者端末に各種情報を送信することによって、各業者における各処理の工程内容を予め通知して各処理工程の迅速化を図ることができ、また、各業者端末から各種情報を受信することによって、使用済み鉛蓄電池２０２の回収率、再生率等を把握することができる。
【００９６】
次に、本発明の実施の形態１に係る鉛蓄電池のリサイクルシステムにおける鉛蓄電池の回収段階における処理の流れについて説明する。
【００９７】
図４は、本発明の実施の形態１に係る鉛蓄電池のリサイクルシステムにおける鉛蓄電池を回収する際の工程を示すフロー図である。
【００９８】
まず、蓄電池メーカ１００とユーザ２００との間において鉛蓄電池２０２のリース契約が成立した後、蓄電池メーカ１００は、ユーザ２００の事業所等に、内部に鉛蓄電池２０２と蓄電池センサ２０３とを備えた非常用電源装置２０１を設置し、前記非常用電源装置２０１の近傍にユーザ端末２１０を設置する（Ｓ１３１）。このとき、リサイクル管理サーバ１１０側において、リース管理部１１４内のデータベース１２４にユーザ２００の名称や鉛蓄電池２０２の機種や設置個数ならびに設置場所、設置年月日等が格納される。
【００９９】
次に、前記鉛蓄電池２０２等を設置後、リサイクル管理サーバ１１０は、一定期間毎、例えば一月毎に鉛蓄電池２０２の電池状態情報を取得する（Ｓ１３２）。
【０１００】
このとき、リサイクル管理サーバ１１０の主制御部１１１は、リース管理部１１４内のデータベース１２４から鉛蓄電池２０２の設置年月日や前回の情報取得年月日を参照して、その日から一定期間の経過を計測することによって、鉛蓄電池２０２の状態検知テスト信号を生成する。そして、前記主制御部１１１は、前記信号をネットワーク通信部１１２に出力し、ネットワーク通信部１１２はネットワーク通信網１０を介してユーザ端末２１０に前記信号を送信する。
【０１０１】
ユーザ端末２１０がネットワーク通信部２１２によって前記信号を受信すると、ネットワーク通信部２１２から前記信号を受け取った主制御部２１１は、電池情報取得部２１３に鉛蓄電池２０２を作動させる指示を出力する。前記指示を受け取った前記電池情報取得部２１３が、蓄電池センサ２０３を介して鉛蓄電池２０２を放電させると、前記蓄電池センサ２０３は鉛蓄電池２０２の電池状態を検出する。
【０１０２】
ここで、前記蓄電池センサ２０３は、放電回数、放電電気量合計や、鉛蓄電池２０２の放電中における放電電流と電圧値、すなわち、電流・電圧特性や、鉛蓄電池２０２の電解液量と電解液比重等を検出し、電池状態情報にディジタル化して前記電池情報取得部２１３に出力する。
【０１０３】
その後、主制御部２１１は、ネットワーク通信部２１２に、前記電池情報取得部２１３が受け取った前記電池状態情報をリサイクル管理サーバ１１０に送信する指示を出力する。そして、前記指示に従ってネットワーク通信部２１２は、ネットワーク通信網１０を介してリサイクル管理サーバ１１０に前記電池状態情報を送信する。
【０１０４】
その後、リサイクル管理サーバ１１０は、鉛蓄電池２０２の寿命を予測して、電池寿命が間近であるか否かを判断する（Ｓ１３３）。
【０１０５】
このとき、リサイクル管理サーバ１１０において、ネットワーク通信部１１２が前記電池状態情報を受信すると主制御部１１１に出力し、前記主制御部１１１は電池情報解析部１１３に当該電池状態情報の解析指示を出力する。
【０１０６】
前記電池情報解析部１１３は、前記指示に従い、主制御部１１１から電池状態情報を受け取り、放電回数を計測したり、検出した電流・電圧特性を、予め調査を行なってデータベース１２３に蓄積している電流・電圧特性と電池の劣化状態の関係グラフと比較したり、検出した電解液量と電解液比重を、予め調査を行なってデータベース１２３に蓄積している電解液量および電解液比重と電池の劣化状態の関係グラフと比較したりすることによって、鉛蓄電池２０２の寿命時期を予測する。その後、前記電池情報解析部１１３は、その予測結果を寿命時期予測情報として主制御部１１１に出力する。
【０１０７】
そして、主制御部１１１は、前記寿命時期予測情報に基づいて鉛蓄電池２０２の寿命時期が間近、例えば、次の状態検知テストを行なうよりも寿命時期が先であるか否かを判断する。
【０１０８】
ここで、鉛蓄電池２０２の寿命が間近でなければ、リサイクル管理サーバ１１０は、鉛蓄電池２０２のリース期間または使用頻度の超過の有無を判断する（Ｓ１３４）。
【０１０９】
このとき、主制御部１１１は、リース管理部１１４にリース期間を超過しているか否かを判断する指示を出力し、また、電池情報解析部１１３に鉛蓄電池２０２の使用頻度を超過しているか否かを解析する指示を出力する。リース管理部１１４は、リース管理部１１４内のデータベース１２４を参照してリース期間の超過の有無を判断して、判断結果を主制御部１１１に出力する。また、電池情報解析部１１３は、一定期間内に状態検知テスト信号の送信による放電回数を除いた放電回数を用いて使用頻度を算出し、当該使用頻度が、予め電池情報解析部１１３内のデータベース１２３に格納されている標準使用頻度を参照して、標準使用頻度よりも多いか少ないかを比較することによって使用頻度の超過の有無を判断して判断結果を主制御部１１１に出力する。
【０１１０】
ここで、リース期間または使用頻度の超過がなければ、リサイクル管理サーバ１１０は、リースによる非常用電源の供給サービスに変更を加えることなく、上記のステップを繰り返す。
【０１１１】
一方、リース期間または使用頻度の超過があれば、リサイクル管理サーバ１１０は、リースによる非常用電源の供給サービスに変更を加える。ここにいう供給サービスの変更には、例えば、リース料金の見直しがある（Ｓ１３５）。
【０１１２】
このとき、主制御部１１１は、前記判断結果がリース期間の超過である場合には、リース管理部１１４にリース料金を減額算出する指示を出力する。当該指示を受け取ったリース管理部１１４は、リース期間、すなわち、鉛蓄電池２０２の保証期間を超えてもなお鉛蓄電池２０２の使用が可能であることから当該鉛蓄電池２０２のリース料金を減額して新たなリース料金を算出する。
【０１１３】
また、主制御部１１１は、前記判断結果が使用頻度の超過である場合には、リース管理部１１４にリース料金を増額算出する指示を出力する。当該指示を受け取ったリース管理部１１４は、予め契約において決められている標準使用頻度を超えて鉛蓄電池２０２を使用していることから当該鉛蓄電池２０２のリース料金を増額して新たなリース料金を算出する。
【０１１４】
その後、リース管理部１１４は、新たに算出されたリース料金をリース管理部１１４内のデータベース１２４に格納するとともに、主制御部１１１に出力する。そして、主制御部１１１は、新たに算出されたリース料金をユーザ２００に通知するため、ネットワーク通信部１１２に新たに算出されたリース料金を明示するリース料金情報をユーザ端末２１０に送信する指示を出力し、ネットワーク通信部１１２によって前記リース料金情報をユーザ端末２１０に送信する。
【０１１５】
さらに、リースによる非常用電源の供給サービスが、新たなリース料金で継続中においても上述したステップと同様に、状態検知テスト信号による鉛蓄電池２０２の電池状態情報の取得が行なわれる。そして、リサイクル管理サーバ１１０は、鉛蓄電池２０２の寿命を予測して、電池寿命が間近であるか否かを判断し（Ｓ１３６）、鉛蓄電池２０２の電池寿命が間近になるまで、リース料金の見直しを電池状態情報の取得を行なうごとに繰り返す（Ｓ１３５）。
【０１１６】
一方、主制御部１１１が、前記寿命時期予測情報から鉛蓄電池２０２の寿命時期が間近であると判断した場合、主制御部１１１は、リース管理部１１４内のデータベース１２４に格納されている顧客情報等を参照して、リース契約の更新時期であることを示す契約更新案内情報を生成し、ネットワーク通信部１１２に当該契約更新案内情報をユーザ端末２１０に送信する指示を出力し、前記契約更新案内情報をユーザ端末２１０に送信する（Ｓ１３７）。
【０１１７】
ユーザ端末２１０が前記契約更新案内情報を受信すると、ユーザ端末２１０の表示装置によって当該契約更新案内情報が表示され、ユーザ２００は、リース契約を更新するか否かを決定して、ユーザ端末２１０の入力装置を用いてユーザ端末２１０に当該決定を入力する（Ｓ１３８）。
【０１１８】
ここで、ユーザ端末２１０が、ユーザ２００から契約を更新する決定の入力を受け付けた場合、リサイクル管理サーバ１１０は、ネットワーク通信網１０を介してユーザ端末２１０から契約を更新する同意があったことを知らせる契約更新情報を受信し、リース管理部１１４に出力して、リース管理部１１４内のデータベース１２４に当該契約更新情報を格納する。そして、リサイクル管理サーバ１１０が表示装置を介して当該契約更新情報やリース管理部１１４内のデータベース１２４に格納されている顧客名称や設置場所等を表示することによって、蓄電池メーカ１００は前記契約更新情報等を確認し、新品の鉛蓄電池２０２と使用済み鉛蓄電池２０２とを交換する（Ｓ１３９）。
【０１１９】
その後、蓄電池メーカ１００は、ユーザ２００から使用済み鉛蓄電池２０２を販売拠点等に引き取る（Ｓ１４０）。
【０１２０】
一方、ユーザ２００がリース契約を更新しない場合であっても、鉛蓄電池２０２の所有権は蓄電池メーカ１００に帰属するため、蓄電池メーカ１００が当該鉛蓄電池の廃棄処理に関する責任を負うこととなる（廃棄物処理法第３条１項）。従って、この場合においても蓄電池メーカ１００は、上記手順と同様にユーザ２００から使用済み鉛蓄電池２０２を販売拠点等に引き取る（Ｓ１４０）。
【０１２１】
このようにして、使用済み鉛蓄電池２０２は蓄電池メーカ１００によってユーザ２００から販売拠点等に引き取られ、収集運搬業者３００によって再生・廃棄処理の工程に運ばれることとなる。
【０１２２】
さらに、本発明の実施の形態１に係る鉛蓄電池のリサイクルシステムによって再生・廃棄処理がなされる鉛蓄電池のライフサイクルについて説明する。
【０１２３】
図５は、本発明の実施の形態１に係る鉛蓄電池のリサイクルシステムによって再生・廃棄処理がなされる鉛蓄電池のライフサイクルを示す図である。
【０１２４】
まず、鉛蓄電池２０２は、蓄電池メーカ１００の製品として製造される（Ｓ１５１）。
次に、鉛蓄電池２０２は、蓄電池メーカ１００によって、製品の販売としてではなく、リースによる非常用電源の供給サービスとしてユーザ２００に提供される（Ｓ１５２）。そして、鉛蓄電池２０２は、リース期間の満了、すなわち、鉛蓄電池２０２の電池寿命に至るまで、リースによる非常用電源の供給サービスとしてユーザ２００の利用に供される（Ｓ１５３）。
【０１２５】
ここで、鉛蓄電池２０２が電池寿命を迎えると、鉛蓄電池２０２の所有権者である蓄電池メーカ１００は、リース事業という自らの事業活動に伴って生じた使用済み鉛蓄電池２０２を自らの責任において適正に処理しなければならないため（Ｓ１５４）、排出事業者として使用済み鉛蓄電池２０２の再生・廃棄処理を行なう。
【０１２６】
そして、使用済み鉛蓄電池２０２は、排出事業者たる蓄電池メーカ１００の責任において処理されることとなり、当該処理を委託された前記収集運搬業者３００によって前記再生業者４００の再生工場等に運搬され、当該処理を委託された前記再生業者４００によって再生物と廃棄物とに分離され（Ｓ１５５）、再生物は蓄電池メーカ１００に渡されて製品の材料として再生され（Ｓ１５１）、廃棄物は当該処理を委託された前記処分業者５００によって廃棄処分とされる（Ｓ１５６）。
【０１２７】
このように、本発明の実施の形態１に係る鉛蓄電池のリサイクルシステムによって、使用済み鉛蓄電池２０２を適正かつ確実に再生・廃棄処理をすることができ、ひいては、循環型社会形成の実現を積極的に推し進めることができる。
【０１２８】
また、リサイクル管理サーバ１１０と各端末装置群とをネットワーク通信網１０を介して通信可能とし、各種情報の送受信を行なうことにより、鉛蓄電池２０２のライフサイクル全般、すなわち、寿命管理、回収工程、再生工程および廃棄工程における効率化を図ることができる。
【０１２９】
さらに、リサイクル管理サーバ１１０は、再生工程における結果を再生鉛調達情報として取得し、また、廃棄工程における結果を最終処分情報として取得して、これらの情報を用いることにより使用済み鉛蓄電池２０２の回収率および再生率を算出することができるので、産業用蓄電池のリサイクルシステムの運用状況を評価することができる。
【０１３０】
（実施の形態２）
以下、本発明の実施の形態２に係るカーバッテリーのリサイクル支援システムについて説明する。
【０１３１】
図６は、本発明の実施の形態２に係るカーバッテリーのリサイクル支援システムの全体を示すシステム構成図である。
【０１３２】
本システムは、情報通信網を利用して、使用済みカーバッテリーのリサイクル工程におけるユーザの負担を軽減し、かつ、使用済みカーバッテリーを確実に回収し再生率を高めるシステムであり、リサイクル管理サーバ１１０ａと、カーバッテリー２０２ａと、バッテリーセンサ２０３ａと、ユーザ端末２１０ａと、収集運搬業者端末３１０ａと、再生業者端末４１０ａと、処分業者端末５１０ａと、これらのサーバおよび端末間の通信経路となるネットワーク通信網１０ａとから構成される。ここで、リサイクル管理サーバ１１０ａや各業者端末群等は、上述した実施の形態１と同様の構成であり、同様の動作を行なうことから、各装置の構成を示すブロック図として図２を参照しつつ名称と符号を置き換えて、実施の形態１と異なる部分を中心に説明することとする。
【０１３３】
自動車２０１ａには、カーバッテリー２０２ａとバッテリーセンサ２０３ａと、ユーザ端末２１０ａとが搭載されている。
【０１３４】
カーバッテリー２０２ａは、自動車２０１ａの構成部品の一つであり、エンジンを始動させたり、ライトなどの電装品へ電力を供給したりする電池である。このカーバッテリー２０２ａは、使用期間や自動車走行距離等の使用状況によって、電池寿命が変動する。
【０１３５】
バッテリーセンサ２０３ａは、カーバッテリー２０２ａと接続されて、当該カーバッテリー２０２ａのバッテリー状態を検出するサーミスタ等のセンサ群と検出回路である。ここで、バッテリー状態とは、カーバッテリー２０２ａの状態を意味し、使用期間、エンジン始動回数、走行距離、作動中のバッテリー温度、作動中の電圧および電流、バッテリー液量およびバッテリー液比重、過放電または過充電の有無等をパラメータとして検出される。
【０１３６】
基地局２０４ａは、ネットワーク通信網１０ａと接続されており、ユーザ端末２１０ａと無線電波による通信を行なって、ユーザ端末２１０ａとネットワーク通信網１０ａとの通信を可能とするアンテナ等を備える。
【０１３７】
ユーザ端末２１０ａは、バッテリーセンサ２０３ａと接続され、バッテリーセンサ２０３ａが検出したバッテリー状態をバッテリー状態情報として取得する装置であり、例えば、カーナビゲーションシステム装置の本体部やハンズフリー装置の本体部等である。
【０１３８】
また、ユーザ端末２１０ａは、基地局２０４ａと無線電波による通信を行なう機能を備え、前記バッテリー状態情報を基地局２０４ａおよびネットワーク通信網１０ａを介してリサイクル管理サーバ１１０ａに送信する。
【０１３９】
さらに、このユーザ端末２１０ａは、カーバッテリー２０２ａに接続されたバッテリーセンサ２０３ａが検出したバッテリー状態をバッテリー状態情報として取得するバッテリー情報取得部２１３ａを備える。
【０１４０】
またさらに、リサイクル管理サーバ１１０ａは、ユーザ端末２１０ａから受信したバッテリー状態情報を解析し、カーバッテリー２０２ａの寿命予測等を行なうバッテリー情報解析部１１３ａを備える。そして、このバッテリー情報解析部１１３ａは、内部に、電流・電圧特性とバッテリーの劣化状態の関係グラフやバッテリー液量およびバッテリー液比重とバッテリーの劣化状態の関係グラフを蓄積するデータベース１２３ａを備える。
【０１４１】
このように構成されたカーバッテリーのリサイクル支援システムを用いたカーバッテリーのリサイクルシステムを運用する方法について、以下に説明する。
【０１４２】
図７は、本発明の実施の形態２に係るカーバッテリーのリサイクルシステムにおけるカーバッテリーを回収する際の工程を示すフロー図である。
【０１４３】
まず、蓄電池メーカ１００ａとユーザ２００ａとの間においてカーバッテリー２０２ａのリース契約が成立した後、蓄電池メーカ１００ａは、ユーザ２００ａの自動車２０１ａにカーバッテリー２０２ａとバッテリーセンサ２０３ａとを取り付けて、ユーザ端末２１０ａとバッテリーセンサ２０３ａとを接続する（Ｓ２０１）。このとき、リサイクル管理サーバ１１０ａ側において、リース管理部１１４ａ内のデータベース１２４ａにユーザ２００ａの氏名やカーバッテリー２０２ａの機種や自動車２０１ａの車名ならびに取付年月日、取付時の走行距離等が格納される。
【０１４４】
次に、前記カーバッテリー２０２ａ等を取り付けた後、リサイクル管理サーバ１１０ａは、一定期間毎、例えば一月毎にカーバッテリー２０２ａのバッテリー状態情報を取得する（Ｓ２０２）。
【０１４５】
このとき、リサイクル管理サーバ１１０ａの主制御部１１１ａは、リース管理部１１４ａ内のデータベース１２４ａからカーバッテリー２０２ａの取付年月日や前回の情報取得年月日を参照して、その日から一定期間の経過を計測することによって、カーバッテリー２０２ａの状態検知テスト信号を生成する。そして、主制御部１１１ａは、前記信号をネットワーク通信部１１２ａに出力し、ネットワーク通信部１１２ａはネットワーク通信網１０ａを介してユーザ端末２１０ａに前記信号を送信する。
【０１４６】
ユーザ端末２１０ａがネットワーク通信部２１２ａによって前記信号を受信すると、ネットワーク通信部２１２ａから前記信号を受け取った主制御部２１１ａは、バッテリー情報取得部２１３ａにカーバッテリー２０２ａのバッテリー状態を検出する指示を出力し、自動車走行時またはエンジン始動時にカーバッテリー２０２ａを放電させ、バッテリーセンサ２０３ａを用いて、カーバッテリー２０２ａのバッテリー状態を検出する。
【０１４７】
ここで、前記バッテリーセンサ２０３ａは、エンジン始動回数や取付年月日からの走行距離、カーバッテリー２０２ａの放電中における放電電流と電圧値、すなわち、電流・電圧特性や、バッテリー液量とバッテリー液比重等を検出し、バッテリー状態情報にディジタル化して前記バッテリー情報取得部２１３ａに出力する。
【０１４８】
その後、主制御部２１１ａは、前記バッテリー情報取得部２１３ａから前記バッテリー状態情報を受け取り、ネットワーク通信部２１２ａに、前記バッテリー状態情報をリサイクル管理サーバ１１０ａに送信する指示を出力する。そして、前記指示に従ってネットワーク通信部２１２ａは、基地局２０４ａおよびネットワーク通信網１０ａを介してリサイクル管理サーバ１１０ａに前記バッテリー状態情報を送信する。
【０１４９】
その後、リサイクル管理サーバ１１０ａは、カーバッテリー２０２ａの寿命を予測して、バッテリー寿命が間近であるか否かを判断する（Ｓ２０３）。
【０１５０】
このとき、リサイクル管理サーバ１１０ａにおいて、ネットワーク通信部１１２ａが前記バッテリー状態情報を受信すると主制御部１１１ａに出力し、前記主制御部１１１ａはバッテリー情報解析部１１３ａに当該バッテリー状態情報の解析指示を出力する。
【０１５１】
前記バッテリー情報解析部１１３ａは、前記指示に従い、主制御部１１１ａからバッテリー状態情報を受け取り、エンジン始動回数を計測したり、検出した電流・電圧特性を、予め調査を行なってデータベース１２３ａに蓄積している電流・電圧特性とバッテリーの劣化状態の関係グラフと比較したり、検出したバッテリー液量とバッテリー液比重を、予め調査を行なってデータベース１２３ａに蓄積しているバッテリー液量およびバッテリー液比重とバッテリーの劣化状態の関係グラフと比較したりすることによって、カーバッテリー２０２ａの寿命時期を予測する。その後、前記バッテリー情報解析部１１３ａは、その予測結果を寿命時期予測情報として主制御部１１１ａに出力する。
【０１５２】
そして、主制御部１１１ａは、前記寿命時期予測情報に基づいてカーバッテリー２０２ａの寿命時期が間近、例えば、次の状態検知テストを行なうよりも寿命時期が先であるか否かを判断する。
【０１５３】
ここで、カーバッテリー２０２ａの寿命が間近でなければ、リサイクル管理サーバ１１０ａは、カーバッテリー２０２ａのリース期間または走行距離の超過の有無を判断する（Ｓ２０４）。
【０１５４】
このとき、主制御部１１１ａは、リース管理部１１４ａにリース期間を超過しているか否かを判断する指示を出力し、また、バッテリー情報解析部１１３ａにカーバッテリー２０２ａの使用走行距離を超過しているか否かを解析する指示を出力する。リース管理部１１４ａは、リース管理部１１４ａ内のデータベース１２４ａを参照してリース期間の超過の有無を判断して、判断結果を主制御部１１１ａに出力する。また、バッテリー情報解析部１１３ａは、バッテリー取付年月日における自動車２０１ａの積算走行距離と、バッテリー状態情報受信時における自動車２０１ａの積算走行距離からカーバッテリー２０２ａを使用した走行距離を算出し、当該走行距離が、予めバッテリー情報解析部１１３ａ内のデータベース１２３ａに格納されている標準走行距離を参照して、標準走行距離よりも多いか少ないかを比較することによって走行距離の超過の有無を判断して判断結果を主制御部１１１ａに出力する。
【０１５５】
ここで、リース期間または走行距離の超過がなければ、リサイクル管理サーバ１１０ａは、リースによるバッテリーの供給サービスに変更を加えることなく、上記のステップを繰り返す。
【０１５６】
一方、リース期間または走行距離の超過があれば、リサイクル管理サーバ１１０ａは、リースによるバッテリーの供給サービスに変更を加える。ここにいう供給サービスの変更には、例えば、リース料金の見直しがある（Ｓ２０５）。
【０１５７】
このとき、主制御部１１１ａは、前記判断結果がリース期間の超過である場合には、リース管理部１１４ａにリース料金を減額算出する指示を出力する。当該指示を受け取ったリース管理部１１４ａは、リース期間、すなわち、カーバッテリー２０２ａの保証期間を超えてもなおカーバッテリー２０２ａの使用が可能であることから当該カーバッテリー２０２ａのリース料金を減額して新たなリース料金を算出する。
【０１５８】
また、主制御部１１１ａは、前記判断結果が走行距離の超過である場合には、リース管理部１１４ａにリース料金を増額算出する指示を出力する。当該指示を受け取ったリース管理部１１４ａは、予め契約において決められている標準走行距離を超えてカーバッテリー２０２ａを使用していることから当該カーバッテリー２０２ａのリース料金を増額して新たなリース料金を算出する。
【０１５９】
その後、リース管理部１１４ａは、新たに算出されたリース料金をリース管理部１１４ａ内のデータベース１２４ａに格納するとともに、主制御部１１１ａに出力する。そして、主制御部１１１ａは、新たに算出されたリース料金をユーザ２００ａに通知するため、ネットワーク通信部１１２ａに新たに算出されたリース料金を明示するリース料金情報をユーザ端末２１０ａに送信する指示を出力し、ネットワーク通信部１１２ａによって前記リース料金情報をユーザ端末２１０ａに送信する。
【０１６０】
さらに、リースによるバッテリーの供給サービスが、新たなリース料金で継続中においても上述したステップと同様に、状態検知テスト信号によるカーバッテリー２０２ａのバッテリー状態情報の取得が行なわれる。そして、リサイクル管理サーバ１１０ａは、カーバッテリー２０２ａの寿命を予測して、バッテリー寿命が間近であるか否かを判断し（Ｓ２０６）、カーバッテリー２０２ａのバッテリー寿命が間近になるまで、バッテリー状態情報の取得を行なうごとにリース料金の見直しを繰り返す（Ｓ２０５）。
【０１６１】
一方、主制御部１１１ａが、前記寿命時期予測情報からカーバッテリー２０２ａの寿命時期が間近であると判断した場合、主制御部１１１ａは、リース管理部１１４ａ内のデータベース１２４ａに格納されている顧客情報等を参照して、リース契約の更新時期であることを示す契約更新案内情報を生成し、ネットワーク通信部１１２ａに当該契約更新案内情報をユーザ端末２１０ａに送信する指示を出力し、前記契約更新案内情報をユーザ端末２１０ａに送信する（Ｓ２０７）。
【０１６２】
ユーザ端末２１０ａが前記契約更新案内情報を受信すると、ユーザ端末２１０ａの表示装置によって当該契約更新案内情報が表示され、ユーザ２００ａは、リース契約を更新するか否かを決定して、ユーザ端末２１０ａの入力装置を用いてユーザ端末２１０ａに当該決定を入力する（Ｓ２０８）。
【０１６３】
ここで、ユーザ端末２１０ａが、ユーザ２００ａから契約を更新する決定の入力を受け付けた場合、リサイクル管理サーバ１１０ａは、ネットワーク通信網１０ａを介してユーザ端末２１０ａから契約を更新する同意があったことを知らせる契約更新情報を受信し、リース管理部１１４ａに出力して、リース管理部１１４ａ内のデータベース１２４ａに当該契約更新情報を格納する。そして、リサイクル管理サーバ１１０ａが表示装置を介して当該契約更新情報やリース管理部１１４ａ内のデータベース１２４ａに格納されている顧客名称や設置場所等を表示することによって、蓄電池メーカ１００ａは前記契約更新情報等を確認し、新品のカーバッテリー２０２ａと使用済みカーバッテリー２０２ａとを交換する（Ｓ２０９）。
【０１６４】
その後、蓄電池メーカ１００ａは、ユーザ２００ａから使用済みカーバッテリー２０２ａを販売拠点等に引き取る（Ｓ２１０）。
【０１６５】
一方、ユーザ２００ａがリース契約を更新しない場合であっても、カーバッテリー２０２ａの所有権は蓄電池メーカ１００ａに帰属するため、蓄電池メーカ１００ａが当該カーバッテリーの廃棄処理に関する責任を負うこととなる（廃棄物処理法第３条１項）。従って、この場合においても蓄電池メーカ１００ａは、上記手順と同様にユーザ２００ａから使用済みカーバッテリー２０２ａを販売拠点等に引き取る（Ｓ２１０）。
【０１６６】
その後、使用済みカーバッテリー２０２ａは、実施の形態１と同様にユーザ２００ａから蓄電池メーカ１００ａに引き取られ、カーバッテリー２０２ａの処理を委託された収集運搬業者３００ａによって再生・廃棄処理の工程に運ばれた後、前記処理を委託された再生業者４００ａによって再生物と廃棄物とに分離され、再生物は蓄電池メーカ１００ａに渡されてカーバッテリー２０２ａの材料として再利用され、廃棄物は前記処理を委託された処分業者５００ａによって最終処分がなされる。
【０１６７】
このように、本発明の実施の形態２に係るカーバッテリーのリサイクルシステムによって、使用済みカーバッテリー２０２ａを適正かつ確実に再生・廃棄処理をすることができ、循環型社会形成を積極的に実現することができる。
【０１６８】
以上のように、本発明に係る蓄電池のリサイクル支援システムについて、各実施の形態に基づいて説明したが、本発明は、これらの実施の形態に限定されるものではない。
【０１６９】
例えば、上記実施の形態１では、マニフェストは、所定の様式に基づいた用紙によって発行し、各業者間を回付することとしているが、リサイクル管理サーバ１１０、収集運搬業者端末３１０、再生業者端末４１０および処分業者端末５１０と、廃棄物処理法第１３条の２に定める情報処理センターとをネットワーク通信網１０を介して通信可能とすることによって、廃棄物処理法第１２条の５の規定に定める電子マニフェストシステムと組み合わせてもよい。
【０１７０】
また、上記実施の形態１では、リース契約によって鉛蓄電池２０２のみならず非常用電源装置２０１一式やユーザ端末２１０までリースすることとしているが、鉛蓄電池２０２のみをリースし、ユーザ端末２１０等はユーザ２００が所有しているものを用いてもよい。
【０１７１】
さらに、上記各実施の形態では、本発明に係るリサイクル支援システムを産業用蓄電池の一例としての鉛蓄電池、またはカーバッテリーのリサイクルシステムに用いているが、蓄電池の種類はこれらに限られず、産業用ニッケルカドミウム蓄電池、電気自動車用またはハイブリッド自動車用ニッケル水素蓄電池、リチウム蓄電池または太陽光発電システム用蓄電池等のリサイクルシステムについても用いることもできる。
さらに詳しくは、本発明に係るリサイクル支援システムは、上記のような蓄電池のリサイクルシステムに限られず、浮標や深海調査船等に搭載されるリチウム一次電池や、電気自動車用またはハイブリッド自動車用ポータブル形の燃料電池等のリサイクルシステムについて用いることも可能である。
【０１７２】
また、上記実施の形態では、排出事業者となるのは蓄電池メーカであるとしているが、例えば、排出事業者となり得るリース販売業者であってもよい。
【０１７３】
さらにまた、リサイクル管理サーバの各構成要素を、蓄電池メーカ１００のリース販売部門や製造部門等のコンピュータに分離して独立させて、これらをＬＡＮによって接続することとしてもよい。
【０１７４】
【発明の効果】
以上、説明したように、本発明に係るリサイクル支援システムは、蓄電池の所有者が排出し、収集運搬業者が回収および運搬し、再生処理業者が再生物と廃棄物とに分離して再生物を再利用し、廃棄処理業者が廃棄物を処理する過程からなる蓄電池のリサイクルシステムの運用を支援するリサイクル支援システムであって、前記リサイクル支援システムは、ネットワークを通じて相互に交信が可能なサーバ装置と第１通信端末装置とを備え、前記サーバ装置は、蓄電池所有者と蓄電池使用者との前記蓄電池のリース契約に関する情報を蓄積するリース情報蓄積手段と、前記情報の送受信を実行する第１ネットワーク通信手段とを備え、前記第１通信端末装置は、前記情報の送受信を実行する第２ネットワーク通信手段を備え、前記蓄電池所有者は、前記リース契約に従って前記蓄電池をリース提供し、前記蓄電池使用者は、前記リース契約に従って前記リース提供を受けることを特徴とする。
【０１７５】
これによって、蓄電池メーカが産業用蓄電池の所有権を留保しユーザに所有権を移転しないことになるので、蓄電池メーカ自らの責任において産業用蓄電池を適正に処理することとなり、ユーザに再生処理等を行なう負担を軽減することができ、ひいては、使用済み産業用蓄電池の不法投棄を抑制することができる。
【０１７６】
また、これによって、蓄電池メーカが使用済み産業用蓄電池の再生・廃棄処理を行なう責任を負うので、使用済み産業用蓄電池を適正かつ確実に再生・廃棄処理をすることができる。
【０１７７】
すなわち、本発明によって、産業用蓄電池のリサイクルシステムの円滑な運用を実現することができ、資源の有効な利用の促進に関する法律（資源有効利用促進法）第４条に基づいて、蓄電池メーカは使用済み産業用蓄電池を再生資源として利用することが確実となり、また、同法第５条に定める消費者の再生資源の利用促進に大いに資することができる。その結果、蓄電池メーカは循環型社会形成推進基本法第１１条に定める事業者の責務を果たすことができ、同法第３条に定める循環型社会の形成を積極的に実現することができる。
【図面の簡単な説明】
【図１】本発明の実施の形態１に係る鉛蓄電池のリサイクル支援システムの全体を示すシステム構成図である。
【図２】本発明の実施の形態１に係る鉛蓄電池のリサイクル支援システムの構成を示す機能ブロック図である。
【図３】本発明の実施の形態１に係る鉛蓄電池のリサイクルシステムにおける鉛蓄電池を回収する際の工程を示すフロー図である。
【図４】本発明の実施の形態１に係る鉛蓄電池のリサイクルシステムの流れを示すシーケンス図である。
【図５】本発明の実施の形態１に係る鉛蓄電池のリサイクルシステムによって再生・廃棄処理がなされる鉛蓄電池のライフサイクルを示す図である。
【図６】本発明の実施の形態２に係るカーバッテリーのリサイクル支援システムの全体を示すシステム構成図である。
【図７】本発明の実施の形態２に係るカーバッテリーのリサイクルシステムにおけるカーバッテリーを回収する際の流れを示すフロー図である。
【図８】従来における廃棄物処理法に則った産業用蓄電池のリサイクルシステムの流れを示すシーケンス図である。
【図９】従来における廃棄物処理法に則った産業用蓄電池のリサイクルシステムによって再生・廃棄処理がなされる産業用蓄電池のライフサイクルを示す図である。
【符号の説明】
１０、１０ａ　ネットワーク通信網
１００、１００ａ　蓄電池メーカ
１１０、１１０ａ　リサイクル管理サーバ
１１１、２１１、３１１、４１１、５１１　主制御部
１１２、２１２、３１２、４１２、５１２　ネットワーク通信部
１１３　電池情報解析部
１１４　リース管理部
１１５　製造管理部
１１６　リサイクル管理部
１２３、１２４、１２５、１２６　データベース
２００、２００ａ　ユーザ
２０１　非常用電源装置
２０１ａ　自動車
２０２　鉛蓄電池
２０２ａ　カーバッテリー
２０３　蓄電池センサ
２０３ａ　バッテリーセンサ
２０４ａ　基地局
２１０、２１０ａ　ユーザ端末
２１３　電池情報取得部
３００、３００ａ、９０２　収集運搬業者
３１０、３１０ａ　収集運搬業者端末
３１３　車両運行管理部
４００、４００ａ、９０３　再生業者
４１０、４１０ａ　再生業者端末
４１３　再生処理管理部
５００、５００ａ、９０４　処分業者
５１０、５１０ａ　処分業者端末
５１３　最終処分管理部
９００　排出事業者
【図１】
2004126669.tif 000003
【図２】
2004126669.tif 000004
【図３】
2004126669.tif 000005
【図４】
2004126669.tif 000006
【図５】
2004126669.tif 000007
【図６】
2004126669.tif 000008
【図７】
2004126669.tif 000009
【図８】
2004126669.tif 000010
【図９】
2004126669.tif 000011